(57)【特許請求の範囲】
【請求項１】
左右の前脚部と左右の後脚部とを有し、
当該左右の後脚部との間にスタンド機構を備えた折畳み自立型ペットカートであって、
使用時には左右の前脚部及び後脚部を離間した状態に保持し、折り畳み時には左右の前脚部及び後脚部をそれぞれ相互に近接させ、且つ前脚部の先端部に有する前輪を上方に持ち上げるように折り畳むと、スタンド機構が左右の後脚部の間から下方に向けて下降することで自立可能であり、
前記スタンド機構は、左右方向中央部に設けた接地部材と、当該接地部材の左右方向両側にスタンドフレームとをそれぞれ有し、前記左右のスタンドフレームの一端は前記接地部材に枢着し、他端は前記左右の後脚部に軸支してあり、
前記左右のスタンドフレームは、自立した状態で前記後脚部の軸支部から左右方向外側に延在した軸支片部と、当該軸支片部から前方で斜め下方に向けて折り曲げ延在した傾斜部と、当該傾斜部の先に当該傾斜部よりも大きく下方に傾斜した立設部を連設及び接地部材に枢着し、自立した状態でカートの重心が後輪と接地部材の接地部との間に有し、
前記立設部は下端側が前方に向けて広がるように傾斜させるとともに垂直線に対する前後方向の立設角度θ１を１〜３０度の範囲に設定し、
前記接地部材の底面は左右方向略円弧形状で当該底面の接地面は前方下方に向けて傾斜した傾斜底面に形成したことを特徴とする折畳み自立型ペットカート。
【発明の詳細な説明】
【技術分野】
【０００１】
本発明は使用しない際に折り畳んで自立できるペットカートに関する。
【背景技術】
【０００２】
これまでに折り畳んだ際に自立できるベビーカーは存在した（特許文献１）。
しかし、ペットカートはペットを乗せる収容部（バケット部）がベビーカーのシート部に比較して広く、折り畳んだ際の収容部がかさ高になり、自立が不安定になりやすかった。
特許文献１は自立させた際にベビーカーの重心がスタンド部の支持部に位置するように設定した旨の記載があり、そのままペットカートに適用できるものではない。
【先行技術文献】
【特許文献】
【０００３】
【特許文献１】特許第４１４４７８６号公報
【発明の概要】
【発明が解決しようとする課題】
【０００４】
本発明は、折り畳んだ際の自立安定性に優れ、折り畳み操作性のよいペットカートの提供を目的とする。
【課題を解決するための手段】
【０００５】
本発明に係る折畳み自立型ペットカートは、左右の前脚部と左右の後脚部とを有し、当該左右の後脚部との間にスタンド機構を備えた折畳み自立型ペットカートであって、使用時には左右の前脚部及び後脚部を離間した状態に保持し、折り畳み時には左右の前脚部及び後脚部をそれぞれ相互に近接させ、且つ前脚部の先端部に有する前輪を上方に持ち上げるように折り畳むと、スタンド機構が左右の後脚部の間から下方に向けて下降することで自立可能であり、前記スタンド機構は、左右方向中央部に設けた接地部材と、当該接地部材の左右方向両側にスタンドフレームとをそれぞれ有し、前記左右のスタンドフレームの一端は前記接地部材に枢着し、他端は前記左右の後脚部に軸支してあり、前記左右のスタンドフレームは、自立した状態で前記後脚部の軸支部から左右方向外側に延在した軸支片部と、当該軸支片部から前方で斜め下方に向けて折り曲げ延在した傾斜部と、当該傾斜部の先に当該傾斜部よりも大きく下方に傾斜した立設部を連設及び接地部材に枢着し、自立した状態でカートの重心が後輪と接地部材の接地部との間に有し、前記立設部は下端側が前方に向けて広がるように傾斜させるとともに垂直線に対する前後方向の立設角度θ１を１〜３０度の範囲に設定し、前記接地部材の底面は左右方向略円弧形状で当該底面の接地面は前方下方に向けて傾斜した傾斜底面に形成したことを特徴とする。
本明細書では、ペットカートの進行方向を前方と表現し、進行方向と直交する方向を左右方向と表現する。
ペットカートはフレーム車体構造を有し、このフレームに犬等のペットを収容するバケット部を取り付けたものである。
フレーム構造からなる左右の前脚部と左右の後脚部とを離間又は近接方向に移動する構造としては、例えば２本のフレームをクロスさせたＸフレーム構造を採用することができ、前脚部の前輪を持ち上げるように折り畳む構造としては、手押しするハンドルフレームと前脚部を構成するフレームとを屈曲自在に連結し、後脚部を構成するフレームの上端をハンドルフレームの途中に回動自在に連結するフレーム構造例等が挙げられる。
なお、本発明は左右後脚部が相互に近接する方向に折り畳むことができるフレーム構造であれば、カートのフレーム車体構造に制限はない。
【０００６】
ここで左右のスタンドフレームは、自立した状態で前記後脚部の軸支部から左右方向外側に延在した軸支片部と、当該軸支片部から前方で斜め下方に向けて折り曲げ延在した傾斜部と、当該傾斜部の先に当該傾斜部よりも大きく下方に傾斜した立設部を連設及び接地部材に枢着し、自立した状態でカートの重心が後輪と接地部材の接地部との間に有するようにするのが好ましく、その場合に立設部の垂直線に対する前後方向の立設角度θ１を１〜３０度の範囲に設定するのがさらに好ましい。
【０００７】
本発明において、接地部材の接地面は前方下方に向けて傾斜した傾斜底面に形成すると、後輪の接地点と接地部材の接地部との間にカートの重心を位置させやすい。
また、後脚部の軸支部形状は断面矩形形状であり、外周部に重ね合せた矩形形状の連結部材を介してスタンドフレームを軸支すると、後脚部とスタンドフレームとの連結部が強固になり、自立安定性がさらに向上する。
また、接地部材の底面を左右方向略円弧形状に形成すると、左右方向の自立安定性も向上する。
【発明の効果】
【０００８】
本発明に係るペットカートは折り畳む際に左右の後脚部が相互に近接するように水平移動するに伴い、左右のスタンドフレームがＶ字状に折れ曲がり、この左右のスタンドフレームの中央部に枢着した接地部材が下方に下降するので、カートを折り畳むだけでそのまま自立可能になる。
この場合に、カートの重心が後輪の接地点とスタンド機構の接地部材との間の垂直線上に重心が位置するので、カートが前後方向に倒れにくい。
また、接地部材の底面を左右方向略円弧形状に形成すると、左右方向の２ヶ所の接地部でカートを支えるので左右方向にも倒れにくくなる。
【図面の簡単な説明】
【０００９】
【図１】ペットカートを折り畳んで自立させた状態を示し、（ａ）はカートの前側から見た正面視、（ｂ）は側面視を示す。
【図２】スタンド機構の動作説明図を示す。（ａ）はカートの使用状態であり、両側のスタンドフレームが略水平方向になるように接地部材が上昇している。（ｂ）は折り畳み状態であり、両側のスタンドフレームがＶ字状に折れ曲がり、接地部材が下方に向けて下降している。
【図３】スタンド機構の斜視図を示す。
【図４】スタンド機構の側面図を示す。（ａ）は立設部が前方に傾斜した場合、（ｂ）は立設部が後方に傾斜した場合を示す。
【図５】スタンドフレームと接地部材との枢着構造例を示す。（ａ）は接地部材が上昇した状態、（ｂ）は接地部材が下降した状態を示す。
【図６】ペットカートの使用状態の側面視を示す。
【図７】（ａ）はペットカートの前方から見た正面視を示し、（ｂ）はペットカートの後方から見た正面視を示し、（ｃ）はペットカートの折り畳み動作を示す。
【発明を実施するための形態】
【００１０】
以下、図面に基づいて本発明に係るペットカートの構造例を具体的に説明するが、本発明の趣旨の範囲にて設計変更が可能である。
【００１１】
ペットカート１０は図６及び図７に示すようにフレーム状の左右の前脚部１１，１１の上端部を手押しする左右のハンドルフレーム１３，１３の下端部に連結具１３ａを用いて屈曲自在になっている。
なお、屈曲方向は連結具１３ａが左右の後脚部１２の下部に取り付けた後輪１２ａに近づく方向のみになるように連結具１３ａの連結部にストッパー機構が設けられている。
フレーム状の左右の後脚部１２，１２は左右のハンドルフレーム１３，１３の連結具１３ａより上方側の途中に回動連結具１２ｂを用いて回動自在に連結し、ハンドルフレーム１３の上部は前方に折り曲げたハンドル部１３ｂになっている。
左右の前脚部１１，１１は下端部に前輪１１ａ，１１ａを取り付け、左右の後脚部１２，１２は下端部に後輪１２ａ，１２ａを取り付けてあり、後輪１２ａには走行をロックする走行ロック機構１２ｃを有する。
【００１２】
左右の前脚部１１，１１と左右の後脚部１２，１２とは前後輪よりも上方に位置した下部側にて、フレームをクロスさせたＸフレーム１４を用いて相互に連結してある。
左右の後脚部１２，１２は図７（ｂ）に示すようにカート使用状態をロックするフレームロック機構を有する。
フレームロック機構は左右の前後脚部が離間した状態をロックするものであれば、その構造に限定はない。
本実施例では、左右のロックバー１６，１６の中央部を軸支１６ｅし、下段側の操作バー１６ｃ，１６ｃとその中央の軸支したつまみ部１６ｄとを垂直バー１６ａを用いて両端１６ｄ，１６ｅを連結した構造例になっている。
使用時は左右のロックバー１６，１６が水平よりもやや下側に折り曲がっていて、つまみ部１６ｄを上昇させると、ロックバー１６，１６が上方側に反転するように折れ曲がり、左右の前後脚部が近接するように移動する。
なお、垂直バー１６ａは左右のクロスバー１６ｂ，１６ｂにて上下方向スライド自在に支持されている。
このフレームロックを解除し、図７（ｃ）に示すように折り畳むと、図６に示すようにカートの底部側に上昇していたスタンド機構２０の接地部材２２が図２（ｂ）に示すように下降する。
本実施例に係るペットカートは、Ｘフレーム１４の上部に架設されるように変形自在のペットの収容部２を載せ、フレーム１５にて外側形状を維持している。
また、ファスナー３等を用いてカバー１を開閉自在に設けた例になっている。
前脚部１１とハンドルフレーム１３との間につなぎ部材１７を取り付け、両端の掛止部１７ａ，１７ｂで折り畳み状態が維持される。
【００１３】
次にスタンド機構２０について説明する。
スタンド機構２０は図１〜４に示し、カートを折り畳んで自立させた図２（ｂ）の図で説明すると、自立した状態で左右のスタンドフレーム２１，２１は中央部が下降した略Ｖ字状に折れ曲がるようになっている。
断面略矩形形状の後脚部１２の外周側に断面略矩形形状の連結部材２４を重ね合せ、固定部２４ａで固定し、この連結部材２４と後脚部１２の前側の側面とを貫通するように左右スタンドフレーム２１の軸支片部２１ｃを軸支２１ｄした。
左右のスタンドフレーム２１，２１はこの軸支片部２１ｃが自立状態で外側に向けて延在するようになっていて、図３，図４に示すようにこの軸支片部２１ｃから前方及び下方斜めに折り曲げた傾斜部２１ｂを形成し、さらにその先にこの傾斜部２１ｂよりも傾斜角の大きい立設部２１ａを折り曲げ形成してある。
左右の立設部２１ａ，２１ａの下端は左右中央部に位置する接地部材２２と枢着部２３にて枢着してある。
接地部材２２はその底部（底面）２２ｄが円弧状の凹形状になっていて、左右方向両側に接地部２２ａが形成されている。
また、図４，図５に示すように接地部材２２の側部にはスタンドフレームが上下方向に回動可能にした空間部２２ｂと、立設状態で接地部材が左右方向に大きく回動しないようにストッパー部２２ｃを形成した。
また、接地部材２２の接地面は図４に示すように前方下方に傾斜した傾斜底面２２ａ’になっている。
本発明では図４（ａ），（ｂ）に示す立設部２１ａの垂直線に対する前後方向の立設角度θ１が１〜３０度、好ましくは１〜１５度の範囲がよく、接地部材２２の傾斜底面（接地面）の角度θ２は５〜３０度の範囲が好ましい。
なお、図４（ａ），（ｂ）に示したように立設部２１ａの傾斜方向は前方でも後方側でもよい。
これにより、折り畳んだ状態でかさ高になりやすいペットカートであってもカート重心が後輪１２ａの接地点と接地部材２２の接地部２２ａとの間の垂直線上に位置し、倒れにくくなる。
また、スタンドフレームを傾斜部２１ｂと立設部２１ａとを下方及び中央方向に折り曲げるように形成したので、図６に示すように水平状態では後端部より前方側の奥に入り込み、折り畳むと図３に示すように後輪１２ａから前方に所定の間隔を隔てて接地部材２２が下降する。
【符号の説明】
【００１４】
１０        ペットカート
１１        前脚部
１１ａ      前輪
１２        後脚部
１２ａ      後輪
１４        Ｘフレーム
２０        スタンド機構
２１        スタンドフレーム
２１ａ      立設部
２１ｂ      傾斜部
２１ｃ      軸支片部
２２        接地部材
２２ａ      接地部
２２ｄ      底部
２４        連結部材
【図１】
0005729810.tif 000002
【図２】
0005729810.tif 000003
【図３】
0005729810.tif 000004
【図４】
0005729810.tif 000005
【図５】
0005729810.tif 000006
【図６】
0005729810.tif 000007
【図７】
0005729810.tif 000008